(57)【要約】      （修正有）【課題】睫毛エクステンション用の人工毛は、装着時に、睫毛エクステンションをしようとする装着者自身の地毛のように見えることが求められている。従来の睫毛エクステンション用人工毛よりも、地毛のように自然に見える、特にボリュームラッシュに用いるための睫毛エクステンション用人工毛と、その人工毛を配列した人工毛シートを提供することを課題とする。【解決手段】複数の人工毛が、シート上に配列された、人工毛シートであって、隣り合う人工毛は、少なくとも片隣りの人工毛とは太さが異なることを特徴とする。【選択図】図２
2019044277.tif 000002
【特許請求の範囲】
【請求項１】
複数の人工毛がシート上に配列された人工毛シートであって、
隣り合う前記人工毛は、少なくとも片隣りの人工毛と太さが異なることを特徴とする、人工毛シート。
【請求項２】
前記人工毛の太さは、０．０４〜０．１ｍｍの範囲に設定されていることを特徴とする、請求項１に記載の人工毛シート。
【請求項３】
前記人工毛の太さは、０．００４〜０．００６ｍｍの範囲内の値ずつ異なる、少なくとも１０種類以上の太さの人工毛を含んでいることを特徴とする、請求項２に記載の人工毛シート。
【請求項４】
隣り合う前記人工毛は、少なくとも片隣りの人工毛と長さが異なることを特徴とする、請求項１〜請求項３の何れかに記載の人工毛シート。
【請求項５】
前記人工毛の長さは、最も長い人工毛と最も短い人工毛との差が１〜３ｍｍの範囲に設定されていることを特徴とする、請求項４に記載の人工毛シート。
【請求項６】
前記人工毛シートに配列された前記人工毛は、０．１〜０．５ｍｍの範囲の値ずつ変更されており、少なくとも１０種類以上の長さの人工毛を含んでいることを特徴とする、請求項５に記載の人工毛シート。
【請求項７】
前記人工毛には、先細るようなテーパが設けられており、前記テーパは前記人工毛の根元寄りから先端にかけて設けられていることを特徴とする、請求項１〜請求項６の何れかに記載の人工毛シート。
【発明の詳細な説明】
【技術分野】
【０００１】
本発明は、睫毛エクステンションに用いられる人工毛がシート上に配列された人工毛シートに関するものである。
【背景技術】
【０００２】
睫毛エクステンションと呼ばれる化粧手法がある。この睫毛エクステンションは、地毛の睫毛一本一本に人工毛を接着し、見かけの睫毛を長くすることや、本数を増やすことで目元を華やかにするためのものである。
【０００３】
従来、この睫毛エクステンションに用いられる人工毛としては、人工毛の一本一本がバラバラの状態で袋等に入れられているバルクタイプのものが主流であった。しかしながら、このバルクタイプは、大量の人工毛が袋内に乱雑に入れられた状態で流通していた。そのため、施術者は、睫毛エクステンションに利用できる人工毛であるかの選定を行う必要があることや、人工毛の根元を確認しながらピンセットで把持する繊細な作業が必要であり、施術者への負担が大きいという問題があった。
【０００４】
このような問題を解決するために、シート上に複数の人工毛が整列されたシートタイプの人工毛シートが種々提案されている（特許文献１参照）。このような人工毛シートは、すべての人工毛が決まった方向に配列されているため、選定や把持作業が容易であり、施術者への負担を軽減することができる。
【０００５】
特に、ボリュームラッシュと呼ばれる睫毛エクステンションの装着手法においては、ｆａｎ(ファン）と呼ばれる複数本の人工毛の束を作り、このファンを一本の地毛の睫毛（以下、地睫毛ともいう）に接着剤を用いて接着している。このように、複数本の人工毛の束を作る際には、人工毛が配列された人工毛シートが好適に用いられる。
【先行技術文献】
【特許文献】
【０００６】
【特許文献１】特開２０１０−２０９５０３号公報
【発明の概要】
【発明が解決しようとする課題】
【０００７】
ところで、人工毛を装着する被施術者からは、人工毛を装着していることが他人からわからないような、より自然な地毛に見える睫毛エクステンションの需要がある。つまり、人工毛の装着時に、被施術者の地毛のように見えることが望ましい。
しかしながら、特許文献１には、施術者の睫毛エクステンション用人工毛を地毛らしく見せるための技術や、地毛らしく見えるような人工毛が配列された人工毛シートの技術については記載されていない。
【０００８】
本発明は、上記実情に鑑みてなされた発明であり、ボリュームラッシュに用いられる人工毛シートであって、人工毛の装着時に地毛のような見栄えとなる人工毛シートを提供することを課題とする。
【課題を解決するための手段】
【０００９】
上記課題を解決するために、本発明に係る人工毛シートは、複数の人工毛がシート上に配列された人工毛シートであって、隣り合う前記人工毛は、少なくとも片隣りの人工毛と太さが異なることを特徴とする。
【００１０】
このような構成とすることで、複数の人工毛を一束としてピンセットで摘まんで地睫毛に接着する際に、その一束に異なる太さの人工毛をバランスよく含めることができる。人間に生えている地睫毛は、太さが均一ではない。そのため、少なくとも片隣りの人工毛と太さと異なるよう配列させることで、より地毛らしい見栄えとなる人工毛シートを提供することができる。
【００１１】
また、本発明の好ましい形態では、前記人工毛の太さは、０．０４〜０．１ｍｍの範囲に設定されていることを特徴とする。
【００１２】
また、本発明の好ましい形態では、前記人工毛の太さは、０．００４〜０．００６ｍｍの範囲内の値ずつ異なる、少なくとも１０種類以上の太さの人工毛を含んでいることを特徴とする。
【００１３】
このような範囲で太さを変更することで、睫毛に装着した際の人工毛を、より地毛らしく見せることができる。
【００１４】
また、本発明の好ましい形態では、前記シート内の隣り合う前記人工毛は、少なくとも片隣りの人工毛と長さが異なることを特徴とする。
【００１５】
このような構成とすることで、複数の人工毛を一束としてピンセットで摘まんで地睫毛に接着する際に、その一束に異なる長さの人工毛をバランスよく含めることができる。人間に生えている地睫毛は、長さが均一ではない。そのため、少なくとも片隣りの人工毛と長さと異なるよう配列させることで、より地毛らしい見栄えとなる人工毛シートを提供することができる。
【００１６】
また、本発明の好ましい形態では、前記人工毛の長さは、最も長い人工毛と最も短い人工毛との差が１〜３ｍｍの範囲に設定されていることを特徴とする。
【００１７】
また、本発明の好ましい形態では、前記人工毛シートに配列された前記人工毛は、０．１〜０．５ｍｍの範囲の値ずつ変更されており、少なくとも１０種類以上の長さの人工毛を含んでいることを特徴とする。
【００１８】
このような範囲で長さを変更することで、睫毛に装着した際の人工毛をより地毛らしく見せることができる。
【００１９】
また、本発明の好ましい形態では、前記人工毛は、先細るようなテーパが設けられており、前記テーパは前記人工毛の根元寄りから先端にかけて設けられていることを特徴とする。
【００２０】
このような形態とすることで、人工毛の全長に対する人工毛の体積の割合が小さくなるため、人工毛に繊細な印象を持たせることができる。
【発明の効果】
【００２１】
本発明は、ボリュームラッシュに用いられる人工毛シートであって、人工毛の装着時に地毛のような見栄えとなる人工毛シートを提供することができる。
【図面の簡単な説明】
【００２２】
【図１】本発明に係る人工毛シートの平面図及び側面図である。
【図２】本発明に係る人工毛シートの一部拡大図である。
【図３】本発明に係る人工毛シートの、人工毛シートを円弧状に曲げた状態を示す図である。
【図４】本発明に係る人工毛シートの、人工毛を装着者の睫毛に着けた状態を示す図である。
【図５】本発明に係る人工毛シートの、人工毛のテーパの形状を示す図である。
【図６】本発明に係る人工毛シートの、装着方法の手順を示す図である。
【図７】本発明に係る人工毛シートの、一束の人工毛を装着者の睫毛に着けた状態を示す図である。
【発明を実施するための形態】
【００２３】
以下、図面を用いて、本発明の実施形態について説明する。本実施形態での人工毛シートは、睫毛エクステンション用の、特にボリュームラッシュに用いられる人工毛シートである。ただし、実施形態は以下に限るものではなく、特許請求の範囲に記載された範囲内で、適宜変更が可能である。
【００２４】
まず、人工毛シートの形態について説明する。図１に示すように、睫毛エクステンション用の人工毛シート１は、数百本の太さ及び長さが異なる人工毛１２と、シート１３とを備え、人工毛１２は、人工毛１２の根元に塗布された接着剤１４によってシート１３に貼り付けられている。また、接着剤１４は、ピンセットで摘まんで引っ張れば、容易に剥がれる程度の粘着力である。施術者は、この睫毛エクステンション用の人工毛シート１から、複数本の人工毛１２を、ピンセットで摘まんで剥がし取り、睫毛エクステンションを行おうとする装着者の地睫毛に接着する。
【００２５】
図１（ａ）は、睫毛エクステンション用の人工毛シート１の平面図である。人工毛１２は、シート１３の長手方向に、それぞれの人工毛１２の根元が一直線となるように並んでいる。
【００２６】
また、図１（ｂ）の睫毛エクステンション用の人工毛シート１の側面図に示されるように、人工毛１２は、根元から先端にかけて、上方に向かって湾曲している。
【００２７】
この人工毛１２の材料は、ナイロンやポリエステル、ＰＢＴ（ポリブチレンテレフタラート）等の樹脂である。より好ましくは、軽量ナイロンを採用することが望ましい。
【００２８】
図２は、睫毛エクステンション用の人工毛シート１の平面視の部分拡大図である。シート１３に配列された人工毛１２は、少なくとも片隣りの人工毛１２とは、太さが異なっている。つまり、同じ太さの人工毛は、３本以上隣に並ばないように、シート１３に配列されている。
【００２９】
また、シート１３に配列された人工毛１２は、少なくとも片隣の人工毛１２とは、長さが異なっている。つまり、同じ長さの人工毛は、３本以上隣に並ばないようにシート１３に配列されている。
【００３０】
ところで、人工毛１２は、数種類ある太さの値と、長さの値との組み合わせによって決定された大きさで形成されている。
【００３１】
人工毛１２の太さの値は、０．０４〜０．１ｍｍの範囲に設定されており、さらには０．００４〜０．００６ｍｍの範囲の値ごとに変化する、少なくとも１０種類の値を設定する。より好ましくは、０．０４〜０．１ｍｍの範囲内で、０．００５ｍｍごとに変化する１３種類の太さの値を設定するのが良い。例えば、実施形態の一つとして、太さの値が、０．０４ｍｍ，０．０４５ｍｍ，０．０５ｍｍ，０．０５５ｍｍ，０．０６ｍｍ，０．０６５ｍｍ，０．０７ｍｍ，０．０７５ｍｍ，０．０８ｍｍ，０．０８５ｍｍ，０．０９ｍｍ，０．０９５ｍｍ，０．１ｍｍの１３種類の値に設定された人工毛１２を配列した人工毛シート１が想定される。
【００３２】
人工毛１２の太さを０．０４ｍｍ未満に設定した場合、人工毛１２の強度が低くなり、折れやすくなってしまう。また、人工毛１２の太さを０．１ｍｍより大きい値に設定した場合、人工毛１２が重くなる。ボリュームラッシュでは、地睫毛よりも多い本数の人工毛１２を装着するため、人工毛１２が重いと、装着者の負担になってしまう。これらのため、人工毛１２の太さの値は、０．０４〜０．１ｍｍの範囲で設定するのが良い。
【００３３】
また、人工毛の太さが０．００５ｍｍごとに変化する例を示したが、０．００４〜０．００６の範囲内の値ごとに太さの値が変化していればよい。そのため、少なくとも１０種類以上の太さの人工毛を含んでいることが望ましい。
【００３４】
人工毛１２の長さの値は、最も長い人工毛１２と最も短い人工毛１２との差が１〜３ｍｍの範囲の値に設定されている。より好ましくは、その差が２ｍｍとなるように設定するのが良い。例えば、最も短い人工毛〜最も長い人工毛１２が、７〜９ｍｍ、９〜１１ｍｍ、１１〜１３ｍｍ、１３〜１５ｍｍとそれぞれ設定された人工毛１２のセットが想定される。
【００３５】
このような範囲に設定することにより、地睫毛のような自然な長さの違いを表現することができる。最も長い人工毛１２と最も短い人工毛１２との差が１ｍｍ未満だと、変化が小さいため、長さの違いを視認しにくい。また、最も長い人工毛１２と最も短い人工毛１２との差が３ｍｍより大きくなると、まとまりのない印象となり、装着した際の美しさが損なわれる。そのため、最も長い人工毛１２と最も短い人工毛１２との差は、１〜３ｍｍの範囲に設定するのが良い。
【００３６】
さらに、上記の例のように複数の人工毛１２のセットを用意することで、装着者の希望に応じた長さの人工毛１２を選択することができる。
【００３７】
また、人工毛１２の長さの値は、０．１〜０．５ｍｍの範囲の値ごとに変化している。より好ましくは、０．２ｍｍごとに変化するのが良い。例えば、実施形態の一つとして、最も短い人工毛〜最も長い人工毛１２が７〜９ｍｍの人工毛１２のセットには、７ｍｍ、７．２ｍｍ、７．４ｍｍ、７．６ｍｍ、７．８ｍｍ、８ｍｍ、８．２ｍｍ、８．４ｍｍ、８．６ｍｍ、８．８ｍｍ、９ｍｍの１１種類の値に設定された人工毛１２が含まれる。他の人工毛１２のセットでも、同様に１１種類の長さの値に設定された人工毛１２が含まれている。
【００３８】
また、人工毛の長さが０．２ｍｍごとに変化する例を示したが、０．１〜０．５ｍｍの範囲内の値ごとに太さの値が変化していればよい。そのため、少なくとも１０種類以上の長さの人工毛を含んでいることが望ましい。
【００３９】
人工毛の長さの値の変化の量が、０．１ｍｍ未満だと、変化が小さいため長さの違いを視認しにくくなる。また、人工毛１２の長さの値の変化が、０．５ｍｍよりも大きくなると、変化が大きくなり、まとまりのない印象となって装着した際の美しさが損なわれる。このため、人工毛の長さの値の変化は、０．１〜０．５ｍｍの範囲内の値で設定するのが良い。
【００４０】
人工毛シート１には、上記のようにそれぞれ設定された太さの値と長さの値を組み合わせた何種類もの人工毛１２が配列されている。
【００４１】
図３と図４を用いて、一枚のシート１３に、太さ及び長さが異なる人工毛が複数種類含まれ、さらに少なくとも人工毛１２は、片隣りの人工毛１２とは太さ及び／長さが異なるものであること、の効果について説明する。
【００４２】
図３（ａ）は本実施形態の人工毛シート１を、円弧状に折り曲げた状態を示す図である。図３（ｂ）は長さ及び太さがすべて同じ従来の人工毛シート２を、円弧状に折り曲げた状態を示す図である。また、図４（ａ）は、本実施形態の人工毛１２を、装着者の上瞼３１の地睫毛に装着した時の状態を示す図である。図４（ｂ）は、従来の人工毛２２を、装着者の上瞼３１の睫毛に装着した時の状態を示す図である。
【００４３】
図３及び図４でそれぞれ本実施形態の人工毛１２と、従来の人工毛２２との印象を比較する。本実施形態の人工毛１２は、太さ及び／又は長さが同一の人工毛が少なくとも片隣りとは並ばない。人間の地睫毛も太さや長さは均一でないため、本実施形態の人工毛１２は生物的なものであるという印象を与え、自然な地睫毛のように見える。それに対して、従来の人工毛２２は、整然と並んでいるため、人工的なものであるという印象を与えている。
【００４４】
図５は、本実施形態の人工毛１２と、従来の人工毛２２の、テーパの形状の違いについてを示す図である。本実施形態の人工毛１２と、従来の人工毛２２は、ともに毛の先端にかけて細るテーパが設けられている。
【００４５】
図５（ｂ）に示すように、従来の人工毛２２のテーパの開始位置１５は、根元から、従来の人工毛２２の全長の３分の２程度の長さの位置に設けられている。
【００４６】
対して、本実施形態の人工毛１２では、根元から、本実施形態の人工毛１２の全長の３分の１程度の長さの位置に、テーパの開始位置１５が設けられている。ただし、実施形態をこれに限るものではなく、中央付近よりも根元寄りにテーパの開始位置１５が設けられていれば良い。
【００４７】
テーパの開始位置１５が根元に近いことで、従来の人工毛２２と比べ、本実施形態の人工毛１２は、本実施形態の人工毛１２の長さに対する体積の割合が小さくなるため、人工毛１２は繊細な印象を与えることができる。
【００４８】
次に、本実施形態の人工毛１２を、睫毛エクステンション用の人工毛シート１に貼り付けられている状態から、装着者の睫毛に接着するまでの順序を、図６及び図７を用いて説明する。以下、施術者が右手でピンセットを把持しているものとして説明する。
【００４９】
図６（ａ）は、ピンセット４が人工毛１２に触れる前の状態を示す図である。ピンセット４は、一対の挟持部４１と、弾性部品４２とを備えている。弾性部品４２は、一対の挟持部４１のうち、片方の挟持部４１にのみ設けられている。また、弾性部品４２は一枚のシート状のものであり、弾性部品４２の外形は、挟持部４１の内面の外形と同じ形となるように加工されている。
【００５０】
まず、ピンセット４のうち、弾性部品４２が設けられていない方の挟持部４１を、人工毛１２の湾曲している部分の下に入れる。そして、挟持部４１で、図６（ｂ）に示すように、端から数本の人工毛１２を手前に向かって少し湾曲させる。この数本の人工毛１２の束を、ファン１７と呼ぶ。
【００５１】
次に、図６（ｃ）に示すように、ファン１７を一対の挟持部４１で挟持し、右手に向かって軽く引っ張る。
【００５２】
さらに、図６（ｄ）に示すように、ファン１７を、ピンセット４で挟持しながら、シートの長手方向にピンセット４を滑らせ、ファン１７の形を整える。この時、根元が接着剤で接着されたファン１７を、イチョウのような形状（扇状）となるように人工毛１２の先端を広げて、形を整える。
【００５３】
ファン１７の形がイチョウのような形状に綺麗に整ったら、ピンセット４でファン１７の根元を挟持し、手前に向けて引っ張り、シート１から剥がし取る。図６（ｅ）は、数本の人工毛１２を、シート１から剥がし取った後の状態を示している。
【００５４】
シート１から剥がし取られたファン１７は、その根元に接着剤を塗布し、睫毛エクステンションをしようとする装着者の地睫毛３２のうちの一本に貼り付けられる。図７は、ファン１７を、装着者の地睫毛３２のうちの一本に接着した状態を示す図である。
【００５５】
装着者の地睫毛３２すべてに、人工毛１２が接着されるまで、この動作を繰り返し行う。装着者の地睫毛３２すべてに人工毛１２を接着した状態は、図４（ａ）に示される。
【００５６】
なお、本実施形態においては、太さ及び長さが異なる人工毛１２について主に説明したが、太さのみが異なる場合にも、同様の効果が得られる。
【産業上の利用可能性】
【００５７】
従来の睫毛エクステンション用人工毛よりも、地毛のように自然に見える睫毛エクステンション用人工毛を配列した人工毛シートを提供することができる。
【符号の説明】
【００５８】
１  睫毛エクステンション用の人工毛シート
１２  人工毛
１３  シート
１４  接着剤
１５  テーパの開始位置
１７  ファン
２  従来の睫毛エクステンション用の人工毛シート
２２  従来の人工毛
２３  シート
３１  装着者の上瞼
３２  装着者の地睫毛
４  ピンセット
４１  挟持部
４２  弾性部品
【図１】
2019044277.tif 000003
【図２】
2019044277.tif 000004
【図３】
2019044277.tif 000005
【図４】
2019044277.tif 000006
【図５】
2019044277.tif 000007
【図６】
2019044277.tif 000008
【図７】
2019044277.tif 000009